(57)【要約】【課題】旋回台前部に取り付けられた作業装置の重量に応じて旋回台側の重量を調節することができる旋回作業機のウエイトを提供するようにしたものである。【解決手段】旋回台１２後部に配備されたカウンタウエイト６０に、追加ウエイト７０を仮止めするための仮止め手段７１と、該仮止め手段７１によって仮止めされた追加ウエイト７０をカウンタウエイト６０に着脱自在に固定する装着手段７２とを介して追加ウエイト７０が装着されている。【選択図】図１
2005307560.tif 000002
【特許請求の範囲】
【請求項１】
旋回台（１２）後部に配備されたカウンタウエイト（６０）に、追加ウエイト（７０）を仮止めするための仮止め手段（７１）と、該仮止め手段（７１）によって仮止めされた前記追加ウエイト（７０）をカウンタウエイト（６０）に着脱自在に固定する装着手段（７２）とを介して前記追加ウエイト（７０）が装着されていることを特徴とする旋回作業機のウエイト。
【請求項２】
前記仮止め手段（７１）は、カウンタウエイト（６０）の外面に後方開放状に開設された嵌合孔（７３）と、追加ウエイト（７０）の前面に突設されていて嵌合孔（７３）に挿入される突起部（７４）と、前記カウンタウエイト（６０）の上面から嵌合孔（７３）に挿通されて該嵌合孔（７３）内に挿入された前記突起部（７４）の抜け止めをする抜け止め部材（７５）とを有していることを特徴とする請求項１に記載の旋回作業機のウエイト。
【請求項３】
前記追加ウエイト（７０）の前面は、カウンタウエイト（６０）の外面に略沿う凹型湾曲形状に形成されていることを特徴とする請求項１または２に記載の旋回作業機のウエイト。
【発明の詳細な説明】
【技術分野】
【０００１】
本発明は、バックホー等の旋回作業機にかかり、より具体的にはウエイトに関するものである。
【背景技術】
【０００２】
従来、バックホー等の旋回作業機においては、下部の走行装置と、上部の旋回体とから構成されており、旋回体は、走行装置上に上下方向の旋回軸廻りに左右旋回自在に支持された旋回台と、該旋回台の前部に備えられた作業装置（掘削装置）とを有している。
該旋回台の後部には、エンジン及びその補機を収容するエンジンルームが設けられており、該エンジンルームは、旋回台の底部を形成する旋回基板と、該旋回基板の後部を上方より覆うボンネットと、該ボンネットと共に旋回台の後部外面を形成して前記作業装置との重量バランスを図るためのカウンタウエイトとによって内空状に形成されている。
【０００３】
この種の旋回作業機においては、用途に応じて前記旋回台前部の作業装置を取り替えることができるものが提案されているが、標準配備された作業装置に代えてロングアームや前記作業装置よりも重量の大なる他のアタッチメント等を旋回台前部に取り付けた場合、旋回作業機全体の重心が前方に転移するため、旋回台後部に配備されたカウンタウエイトのみでは旋回台側と作業装置側の重量バランスを保つことができず、掘削作業中において旋回作業機の姿勢が不安定となる問題があった。
そこで、例えば特許文献１においては、エンジンルーム内にサブウエイトを兼ねたエンジンの支持部及び取付枠体の支持部からなる複数個のウエイト取付部材が取付配備された旋回作業機が提案されている。
【特許文献１】特開２００１−９０１１９号公報
【発明の開示】
【発明が解決しようとする課題】
【０００４】
しかしながら、上記特許文献１の旋回作業機においては、各ウエイト取付部材がエンジンルーム内の他の部材の支持部をそれぞれ構成しているため、これら各ウエイト取付部材をエンジンルーム内から取り外すことはできない。このため、旋回台前部に取り付けられた作業装置を他のアタッチメント等に取り替えた場合にも、各ウエイト取付部材を着脱して旋回台側の重量を調節することができない問題があった。
そこで本発明の目的は、上記問題点に鑑み、旋回台前部に取り付けられた作業装置の重量に応じて旋回台側の重量を調節することができる旋回作業機のウエイトを提供するようにしたものである。
【課題を解決するための手段】
【０００５】
この技術的課題を解決するための本発明の技術的手段は、旋回台１２後部に配備されたカウンタウエイト６０に、追加ウエイト７０を仮止めするための仮止め手段７１と、該仮止め手段７１によって仮止めされた前記追加ウエイト７０をカウンタウエイト６０に着脱自在に固定する装着手段７２とを介して前記追加ウエイト７０が装着されている点にある。
また、本発明の他の技術的手段は、前記仮止め手段７１は、カウンタウエイト６０の外面に後方開放状に開設された嵌合孔７３と、追加ウエイト７０の前面に突設されていて嵌合孔７３に挿入される突起部７４と、前記カウンタウエイト６０の上面から嵌合孔７３に挿通されて該嵌合孔７３内に挿入された前記突起部７４の抜け止めをする抜け止め部材７５とを有している点である。
【０００６】
さらに、本発明の技術的手段は、前記追加ウエイト７０の前面は、カウンタウエイト６０の外面に略沿う凹型湾曲形状に形成されている点にある。
【発明の効果】
【０００７】
本発明によれば、仮止め手段及び装着手段を介して追加ウエイトをカウンタウエイトに着脱自在とすることができるので、旋回台前部に取り付けられた作業装置の重量に応じて旋回台側の重量を調節することができる。
【発明を実施するための最良の形態】
【０００８】
以下、本発明をバックホーに実施した形態について、図１〜図５を参照して説明する。
図４において、１は、旋回作業機として例示するバックホーであり、該バックホー１は、下部の走行装置２と、上部の旋回体３とから構成されている。
走行装置２は、ゴム製覆帯を有する左右一対の走行体４を備え、両走行体４を走行モータＭで駆動するようにしたクローラ式走行装置が採用されている。また、該走行装置２の前部にはドーザ５が設けられている。
旋回体３は、走行装置２上に旋回ベアリング１１を介して上下方向の旋回軸Ｘ廻りに左右旋回自在に支持された旋回台１２と、該旋回台１２の前部に備えられた作業装置（掘削装置）１３とから構成されている。
【０００９】
作業装置１３は、旋回台１２の前部に左右方向の中央部から右寄りにオフセットして設けられた図５に示す支持ブラケット１６を介して該旋回台１２に着脱自在に取り付けられており、図４に示す如く、該支持ブラケット１６に上下方向の軸心廻りに左右揺動自在に支持されたスイングブラケット１７と、該スイングブラケット１７に基部側を左右方向の軸心廻りに回動自在に枢着されて上下揺動自在に支持されたブーム１８と、該ブーム１８の先端側に左右方向の軸心廻りに回動自在に枢着されて前後揺動自在に支持されたアーム１９と、該アーム１９の先端側にスクイ・ダンプ動作可能に設けられたバケット２０とを備えている。
【００１０】
スイングブラケット１７は、旋回台１２内に備えられたスイングシリンダ（図示省略）の伸縮によって揺動され、ブーム１８は、該ブーム１８とスイングブラケット１７との間に介装されたブームシリンダ２２の伸縮によって揺動され、アーム１９は、該アーム１９とブーム１８との間に介装されたアームシリンダ２３の伸縮によって揺動され、バケット２０は、該バケット２０とアーム１９との間に介装されたバケットシリンダ２４の伸縮によってスクイ・ダンプ動作されている。これらスイングシリンダ、ブームシリンダ２２、アームシリンダ２３、バケットシリンダ２４は油圧シリンダ（油圧機器）によって構成されている。
【００１１】
なお、アーム１９には、バケット２０の代わりに取り付けられる油圧アタッチメントを作動させるための油圧取出部（図示省略）が設けられている。
旋回台１２は、図５に示す如く、その底面が厚板状の旋回基板２５によって形成され、該旋回基板２５の前方に前記支持ブラケット１６が突設されており、これによって、旋回基板２５の前部に設けられたステップ面２６が前後方向に拡大されていて、乗降空間の拡大による居住性、操縦性が確保されている。
また、旋回台２５前部のステップ面２６上には、旋回軸心Ｘより左側寄りに運転席２７が配備されており、該運転席２７の左右両脇に配備された一対の操縦ボックス２８と運転席２７の前方に配備された一対の操縦レバー２９等とによって、運転操縦装置３０が構成されている。
【００１２】
運転席２７の後方には、旋回基板２５上にエンジン３１が横向き配備されており、該エンジン３１の左側には、該エンジン３１にて駆動される油圧ポンプ３２が配備され、エンジン３１の右側には、ラジエータファン３３ａの前方にラジエータ３３が配備されている。
また、旋回基板２５上には、運転席２７およびステップ面２６の下部に燃料タンク３４が配備されており、また、ラジエータ３３の右方にオイルクーラ３５およびバッテリー３６が配備され、該バッテリー３６の前方に作動油タンク３７およびバルブユニット３８がそれぞれ配備されており、これよって旋回台１２の左右方向の重量バランスが確保されている。
【００１３】
また、旋回台１２には、左右方向にエンジン３１等を跨ぐ支持フレーム４０が配備されており、該支持フレーム４０は、左右一対の脚部４０Ｌ、４０Ｒの上端部に両端部が連結されている平板状の横架材４１とから構成され、各脚部４０Ｌ、４０Ｒの下端が旋回基板２５等に取付固定されている。
そして、上記エンジン３１、油圧ポンプ３２、ラジエータ３３、燃料タンク３４、オイルクーラ３５、作動油タンク３７、バルブユニット３８等は、旋回基板２５上方を右側方から後方に亘って上方より覆うボンネット５０と、旋回基板２５の右側後部から左側後部に亘って配備されて旋回台１２の後部を構成すると共に前記作業装置１３との重量バランスの調整を図るカウンタウエイト６０とによって覆われており、これによって、バックホー１を走行（前進、後進）させたり、旋回動作させたりした場合に、上記エンジン３１、油圧ポンプ３２、ラジエータ３３、燃料タンク３４、オイルクーラ３５、作動油タンク３７、バルブユニット３８等が障害物（壁、植込み等）に衝突乃至接触するのを防護していると共に、エンジン３１等の騒音が外部に放散されるのを防止し、併せて操縦運転装置の熱気環境が劣化するのを防止しているのである。
【００１４】
ボンネット５０は、板金加工や樹脂成形（硬質プラスチック成形又は強化プラスチック成形が望ましい）等によって形成されており、前記支持フレーム４０の横架材４１上に固定されて該エンジン３１及び油圧ポンプ３２の上方を覆う固定ボンネット５１と、該固定ボンネット５１の後縁側でエンジン３１及び油圧ポンプ３２を後上方より覆う後部ボンネット５２と、固定ボンネット５１の右方に位置して前記ラジエータ３３、オイルクーラ３５、バッテリー３６、作動油タンク３７及びバルブユニット３８を覆う側部ボンネット５３によって構成されている。また、ボンネット５０は、旋回基板２５の中央部にて左右方向に立設された平板状のエンジン仕切部材４２と協働してエンジンルームを形成している。
【００１５】
なお、ボンネット５０は、図４に示す如く、上下方向に間隔をおいてリブ５４を形成することによって、該ボンネット５０を補強しているとともに外観意匠性を向上するものとされている。
また、例えば、側部ボンネット５３の前側は前後方向に回動自在に枢支されて、この側部ボンネット５３を開放することによって、ラジエータ３３、オイルクーラ３５、バッテリー３６、作動油タンク３７及びバルブユニット３８等の点検・整備を行うことが可能となっている。また、側部ボンネット５３は、着脱自在に旋回台１２に取り付けられていてもよく、側部ボンネット５３の後部を前後方向に回動できるように枢支してもよい。
【００１６】
また、後部ボンネット５２は、その上壁前端側が前記支持フレーム４０の横架材４１に左右方向の軸心廻りに回動自在に支持され、図４中に矢印で示す如く上下方向開閉自在とされており、該後部ボンネット５２とカウンタウエイト６０とは、図２に示す如く、後部ボンネット５２の左右方向の中央部上側に配備されたロック手段９０によってロック解除自在とされている。
該ロック手段９０は、図３に示す如く、後部ボンネット５２に配備されたロック片９１と、カウンタウエイト６０の左右方向中央部の上端部に取り付けられた被ロック片９２とから構成されており、前記ロック片９１は、前記後部ボンネット５２の左右方向の軸心に垂直若しくは略垂直な軸心Ｙ廻りに回転自在に枢支されると共に、該ロック片９１の固定状態と回転可能状態を切り換えるロック機構９３を前記軸心Ｙ上に有している。
【００１７】
後部ボンネット５２の外面に突出したロック機構９３のキー孔にキー（エンジンキー等）を射し込み、該キーと共にロック片９１を回動させることによって、該ロック片９１は被ロック片９２に対して係脱自在となり、ロックを解除した状態で後部ボンネット５２を図４中に二点鎖線で示す如く開放することによって、エンジン３１上部の付近の点検・整備が可能とされている。
また、後部ボンネット５２を閉じることによってカウンタウエイト６０の端縁と対向することとなる該後部ボンネット５２の両側縁及び後端縁には、弾性チューブ、弾性Ｕ型チューブ等の弾性縁取体が装着されており、これによって、閉じ状態の後部ボンネット５２とカウンタウエイト６０との間の接合部（突合せスキマ）にシールが施されることとなる。
【００１８】
旋回基板２５の後部に配備されたカウンタウエイト６０は、鋼、鉛等の金属からなる鋳物製であり、図５に示す如く、旋回台１２の後部を構成すべく平面視で略Ｕ字型に形成されると共に、図１または図２に示す如く、全体の外郭形状が外方向湾曲状に形成されている。該カウンタウエイト６０の外面には、該外面から前面までを貫通した貫通孔を有する取付部６１が左右に１つずつ凹設されており、ボルトからなる一対の固着具６２を該一対の取付部６１の貫通孔に挿通させた状態で前記旋回基板２５の後部に立設された一対のウエイト取付部材４４にそれぞれ締結することにより、カウンタウエイト６０は旋回基板２５に取り付けられる。
【００１９】
そして、該カウンタウエイト６０の外面には、旋回台１２側の重量を増加させるための追加ウエイト７０が該カウンタウエイト６０の後方から着脱可能に取り付けられている。該追加ウエイト７０は、カウンタウエイト６０と同様に、鋼、鉛等の金属からなる鋳物製であり、その前面がカウンタウエイト６０の外面に略沿う凹型湾曲形状に形成されると共に外面が外方向湾曲状に形成されている。
これによって、図３に示す如く、追加ウエイト７０をカウンタウエイト６０の外面に密着させて取り付けることができ、追加ウエイト７０の取付状態を安定させることができる。また、追加ウエイト７０をカウンタウエイト６０の外面に取り付けた場合にも、旋回体３後端の回転半径は僅かに大きくなるに過ぎないので、この状態で旋回体３を揺動させた場合にも、追加ウエイト７０が前記走行体４の両側端縁から大きく突出することはなく、追加ウエイト７０が旋回体３の揺動動作を妨げることはない。
【００２０】
また、カウンタウエイト６０の上面には、中央部に凹状の平坦部６０ａが形成されると共に、追加ウエイト７０の上面にも、前記平坦部６０ａと連接される平坦部７０ａが形成されており、これによって、後部ボンネット５２を開く場合に、該後部ボンネット５２に設けられたロック手段９０の下部に形成された取っ手部５２ａに容易に手を差し入れることが可能となると共に、該後部ボンネット５２の開閉動作をカウンタウエイト６０および追加ウエイト７０に妨げられることなくスムーズに行うことができる。
ここで、追加ウエイト７０は、図１〜図３に示す如く、該追加ウエイト７０をカウンタウエイト６０の外面に仮止めするための仮止め手段７１と、該仮止め手段７１によって仮止めされた追加ウエイト７０を前記外面に着脱可能に固定するための装着手段７２とを介してカウンタウエイト６０の外面に取り付けられている。
【００２１】
該仮止め手段７１は、図１に示す如く、カウンタウエイト６０の外面の左右方向中央部に後方開放状に開設された嵌合孔７３と、追加ウエイト７０の前面の左右方向中央部に突設されて前記嵌合孔７３に挿入される突起部７４と、嵌合孔７３に挿入された突起部７４を係止するための係止ピン７５（抜け止め部材）とを有すると共に、追加ウエイト７０の前面の両側部に突設されて前記カウンタウエイト６０の左右一対の取付部６１に嵌入される左右一対の嵌入部７６とから構成されている。
カウンタウエイト６０に開設された嵌合孔７３は、図１および図２に示す如く、有底円筒形状に形成されており、また、カウンタウエイト６０には、前記平坦部６０ａから前記嵌合孔７３の内周壁までを前記軸心Ｘと平行若しくは略平行に貫通する第１貫通孔７７が形成されている。該第１貫通孔７７は、図３に示す如く、カウンタウエイト６０上面側の第１貫通部７８と、該第１貫通部７８よりも僅かに開口断面の大きさが小なる嵌合孔７３内周壁側の第２貫通部７９とを有しており、第１貫通部７８と第２貫通部７９とはテーパ面８０を介して連結されている。
【００２２】
また、追加ウエイト７０に突設された突起部７４は、前記嵌合孔７３の内周壁との間に僅かな隙間を有して嵌合孔７３内に挿入可能な有底円錐形状に形成されており、その外周面には、嵌合孔７３に挿入された状態で前記第１貫通孔７７と対向する位置に、該第１貫通孔７７と貫通軸を一にする第２貫通孔８１が貫通して形成されている。
係止ピン７５は、第１貫通孔７７の第１貫通部７８に収容されるべき頭部８２と、該頭部８２の下部より伸びて第１貫通孔７７の第２貫通部７９及び第２貫通孔８１に収容されるべき脚部８３とから構成されており、該頭部８１には、その上端面中央部から内部に向けて雌螺子部８４が凹設されている。
【００２３】
また、装着手段７２は、図１および図２に示す如く、ボルトからなる一対の固着具８５と、追加ウエイト７０の左右両側に形成されて該一対の固着具８５を挿通すべき一対の挿通孔８６と、カウンタウエイト６０の外面にて前記一対の挿通孔８６との対向位置に形成された一対の取付孔８７によって構成されている。
本発明の実施の形態において、追加ウエイト７０をカウンタウエイト６０の外面に取り付ける場合、先ず、図３に示すロック手段９０を解除して後部ボンネット５２を開き状態に設定し、カウンタウエイト６０の平坦部６０ａの第１貫通孔７７の開口面を平面視で露出させる。次に、図２に示す如く、追加ウエイト７０の前面をカウンタウエイト６０の外面に対向させ、該追加ウエイト７０前面の突起部７４をカウンタウエイト６０外面の嵌合孔７３に挿入する。このとき、追加ウエイト７０前面の一対の嵌入部７６をカウンタウエイト６０外面の一対の取付部６１にそれぞれ嵌入させることにより、追加ウエイト７０は上下左右にぶれることなくカウンタウエイト６０外面に嵌合されることとなる。
【００２４】
また、このとき、カウンタウエイト６０の嵌合孔７３に挿入された追加ウエイト７０の突起部７４の第２貫通孔８１は、該嵌合孔７３の第１貫通孔７７と対向することとなり、これら第１貫通孔７７及び第２貫通孔８１に向けてカウンタウエイト６０の平坦部６０ａより係止ピン７５を挿入する。これによって、嵌合孔７３内の突起部７４の抜け止めが施され、追加ウエイト７０はカウンタウエイト６０に仮止めされることとなる。
ここで、係止ピン７５は、図３に示す如く、その頭部８２が第１貫通孔７７の第１貫通部７８内に没入した状態で収容されるため、該係止ピン７５が後部ボンネット５２の開閉動作を妨げることはない。
【００２５】
そして、図２に示す如く、後部ボンネット５２を閉じ状態に設定した後、追加ウエイト７０の外面から該追加ウエイト７０の一対の挿通孔８６に向けて一対の固着具８５をそれぞれ挿通させ、さらに該固着具８５をカウンタウエイト６０の一対の取付孔６２にそれぞれ固着することにより、追加ウエイト７０はカウンタウエイト６０の外面に固定した状態で取り付けられることとなる。
一方、追加ウエイト７０をカウンタウエイト６０の外面から取り外す場合、先ず、前記一対の固着具８５をカウンタウエイト６０の一対の取付孔６２からそれぞれ取り外し、追加ウエイト７０の固定状態を解除する。
【００２６】
次に、ロック手段を解除して後部ボンネット５２を開き状態に設定し、先端部に雄螺子部８８ａが形成された棒状の連結具８８の前記雄螺子部８８ａを係止ピン７５の雌螺子部８４に螺合させ、該連結具８８を係止ピン７５に連結する。これによって、係止ピン７５が引き抜き可能状態となり、該係止ピン７５を引き抜くことによって嵌合孔７３内の突起部７４の抜け止めが解除され、追加ウエイト７０の仮止め状態が解除される。
そして、後部ボンネット５２を閉じ状態に設定した後、旋回体３の後方に向けて追加ウエイト７０を引き出すことによって、該追加ウエイト７０の突起部７４及び一対の嵌入部７６がカウンタウエイト６０の外面の嵌合孔７３及び一対の取付部６１からそれぞれ引き出されることとなり、これによって、追加ウエイト７０がカウンタウエイト６０外面から取り外されることとなる。
【００２７】
上記実施の形態によれば、標準装備された作業装置１３に替えて、該作業装置１３よりも重量の重い他の作業装置やアタッチメント等を旋回台１２前部の支持ブラケット１６に取り付けた場合にも、追加ウエイト７０をカウンタウエイト６０の外面に取り付けることにより、旋回台１２側の重量を重くすることができるので、該旋回台１２側と作業装置側の重量バランスを保つことができ、掘削作業中においてバックホー１の姿勢を十分に安定させることができる。
また、標準装備された作業装置１３や該作業装置１３よりも軽量の他の作業装置やアタッチメントを支持ブラケット１６に取り付ける場合には、追加ウエイト７０をカウンタウエイト６０外面から取り外すことによって、旋回台１２側の重量を過度に大きくすることなく該旋回台１２側と作業装置１３側の重量バランスが保たれ、しかも、エンジン３１の出力を十分に発揮させてバックホー１の作業性を向上させることができる。
【００２８】
また、追加ウエイト７０は、上記仮止め手段７１によって仮止めされた状態を経た後に装着手段７２を介してカウンタウエイト６０外面に固定されるので、追加ウエイト７０をカウンタウエイト６０に固定する際にクレーンや保持部材を用いて追加ウエイト７０の取付姿勢を保持する必要はなく、安全に取付作業を行うことができる。取り外し作業においても同様である。
しかも、仮止め手段７１は、上述の如く係止ピン７５によってカウンタウエイト６０の嵌合孔７３内に挿入された追加ウエイト７０の突起部７４の抜け止めを施す簡易な構造によって構成されているので、該仮止め手段７１を介した追加ウエイト７０の取付／取り外し作業が複雑化することはない。
【００２９】
以上、本発明の実施形態を詳述したが、本発明は上記の実施の形態に限定されるものではない。例えば、仮止め手段７１を構成する嵌合孔７３をカウンタウエイト６０外面に複数開設し、これに伴って、前記嵌合孔７３に挿入されるべき突起部７４を追加ウエイト７前面に複数個形成してもよい。また、これに応じて、複数個の係止ピン７５によって追加ウエイト７０を仮止めする仮止め手段７１を採用しても構わない。
また、カウンタウエイト６０の外面に複数個の追加ウエイト７０を仮止め手段７１および装着手段７２を介して取付自在に固定する構成を採用することもできる。
【００３０】
また、係止ピン７５の断面形状は、円形、楕円形、多角形状等いずれの形状も採用することができ、これによってカウンタウエイト６０の第１貫通孔７７及び追加ウエイト７０の突起部７４の第２貫通孔８１は、係止ピン７５の断面形状に合わせた形状に形成される。
また、カウンタウエイト６０の嵌合孔７３の旋回基板２５側の内周壁に、前記第１貫通孔７７と対向する嵌合孔を形成し、係止ピン７５を第１貫通孔７７、第２貫通孔８１及び嵌合孔に挿通させることにより、追加ウエイト７０の突起部７４の抜け止めを施すことも可能であり、第２貫通孔８１を有底状の孔部とし、該孔部及び第１貫通孔７７に係止ピン７５を挿通させて追加ウエイト７０の突起部７４の抜け止めを施すことももちろん可能である。
【００３１】
また、取り付ける作業装置に対応した複数個の追加ウエイトを用意しても構わない。
また、カウンタウエイト６０の両側部にプロテクタをそれぞれ配備する構成としても、本発明の構成を妨げるものではない。
さらには、バックホー１を旋回体３の中央側に作業装置１３を枢支した超小旋回型にしたり、旋回体３及びそれに搭載される機器を左右反対勝手に構成したり、後部ボンネット５２を側部枢支式の構成としたりすることも可能である。
【図面の簡単な説明】
【００３２】
【図１】本願発明の実施の形態にかかるバックホーのカウンタウエイト及び追加ウエイトの取付状態を示す分解斜視図である。
【図２】同バックホーへの追加ウエイトの取付状態を示す分解斜視図である。
【図３】追加ウエイトのカウンタウエイトへの取付状態を示す要部断面図である。
【図４】本願発明の実施の形態にかかるバックホーの左側面図である。
【図５】同バックホーの旋回台および走行装置の平面図である。
【符号の説明】
【００３３】
１    バックホー
２    走行装置
３    旋回体
１２  旋回台
１３  作業装置
１６  支持ブラケット
２５  旋回基板
３１  エンジン
５０  ボンネット
５２  後部ボンネット
６０  カウンタウエイト
７０  追加ウエイト
７１  仮止め手段
７２  装着手段
７３  嵌合孔
７４  突起部
７５  係止ピン
８８  連結具
９０  ロック手段
【図１】
2005307560.tif 000003
【図２】
2005307560.tif 000004
【図３】
2005307560.tif 000005
【図４】
2005307560.tif 000006
【図５】
2005307560.tif 000007